(57)【要約】【課題】製品の真贋判定を可能にする識別ラベルユニットを提供する。【解決手段】本発明によれば、識別子が付された識別ラベルと、前記識別ラベルを覆うように配置されたビューワープレートと、前記識別ラベルと前記ビューワープレートが相対回転可能なようにこれらを保持する保持部材とを備え、前記識別ラベルは、前記識別ラベルと前記ビューワープレートの間の相対回転によって前記識別子の表示と非表示が切り替わるように構成される、識別ラベルユニットが提供される。【選択図】図１
2015210346.tif 000002
【特許請求の範囲】
【請求項１】
識別子が付された識別ラベルと、前記識別ラベルを覆うように配置されたビューワープレートと、前記識別ラベルと前記ビューワープレートが相対回転可能なようにこれらを保持する保持部材とを備え、前記識別ラベルは、前記識別ラベルと前記ビューワープレートの間の相対回転によって前記識別子の表示と非表示が切り替わるように構成される、識別ラベルユニット。
【請求項２】
前記保持部材は、前記識別ラベルと前記ビューワープレートが相対回転なようにこれらを保持するボトムベースを備える、請求項１に記載の識別ラベルユニット。
【請求項３】
前記識別ラベルは、前記ボトムベースに固定され、前記ビューワープレートは、前記ボトムベースに対して相対回転可能に保持される、請求項２に記載の識別ラベルユニット。
【請求項４】
前記保持部材は、前記ボトムベースに固定されるトップベースを備え、
前記ビューワープレートは、前記ボトムベースと前記トップベースの間に設けられた保持空間内に、前記識別ラベルに対して回転可能に保持される、請求項２又は請求項３に記載の識別ラベルユニット。
【請求項５】
前記トップベースは、前記ビューワープレートを通じて前記識別子を視認可能に構成される、請求項４に記載の識別ラベルユニット。
【請求項６】
前記識別ラベル、前記ビューワープレート、及び前記トップベースは、前記ボトムベースに設けられた収容凹部に収容され、前記トップベースと前記ボトムベースの表面が略同一平面である、請求項３〜請求項５の何れか１つに記載の識別ラベルユニット。
【請求項７】
前記ボトムベースは、対象製品に固定可能に構成される、請求項２〜請求項６の何れか１つに記載の識別ラベルユニット。
【請求項８】
前記ボトムベースは、製品パッケージである、請求項２〜請求項６の何れか１つに記載の識別ラベルユニット。
【請求項９】
前記ビューワープレートは、前記ボトムベースに固定され、前記識別ラベルは、前記ボトムベースに対して相対回転可能に保持される、請求項２に記載の識別ラベルユニット。
【請求項１０】
前記識別ラベルは、前記ボトムベースと前記ビューワープレートの間に保持される、請求項９に記載の識別ラベルユニット。
【請求項１１】
前記ビューワープレートは、前記保持部材外に突出する突起を備える、請求項１〜請求項１０の何れか１つに記載の識別ラベルユニット。
【発明の詳細な説明】
【技術分野】
【０００１】
本発明は、製品の真贋判定を可能にする識別ラベルユニットに関する。
【背景技術】
【０００２】
他社の製品を模倣することによって不当な利益を得ようとする模倣者が数多く存在している。このような模倣者による模倣技術は、段々と高まりつつあり、ユーザーは一見しただけでは、自身が購入しようとしている製品が正規品であるのか、模倣品であるのかを区別することが難しい場合がある。このため、正規品であると信じて模倣品を購入するユーザーが数多く存在する。そして、これらのユーザーは自分が正規品を購入したと信じているので、模倣品の品質が低い場合には、正規品の品質が低いと認識され、ブランドイメージの低下に繋がる。また、模倣品が正規品の連絡先を記載している場合には、それによるクレーム対応、問い合わせ対応に余分な労力がかかり、本来の業務に支障をきたす。
【０００３】
このような模倣品による被害を防ぐために、ホログラムを用いた偽造防止ラベルが正規品に付される場合がある。しかし、模倣者は、このような偽造防止ラベルを模倣することを習得してしまい、偽造防止効果が著しく低下しているという問題がある。
【発明の概要】
【発明が解決しようとする課題】
【０００４】
このような状況において、ホログラムに代わる新たな偽造防止技術として、「偽造防止ラベル FORGE GUARD（登録商標）」が富士フイルム株式会社によって開発された。FORGE GUARDは、専用のフィルムに特殊な加工を施して識別用の画像を記録したものであり、模倣者による模倣が極めて困難な偽造防止ラベルである。FORGE GUARDの画像は、肉眼では視認することができず、ビューワープレートを通して観察して初めて視認可能になる。このため、FORGE GUARDが付された製品の真贋判定にはビューワープレートが必須であり、ビューワープレートがない状態では、製品に単なる銀色のシールが付されている状態になっている。
【０００５】
ビューワープレートは、通常、カード状になっており、FORGE GUARDとは別体で配布される。このため、製品を店頭で販売する際には、ビューワープレートを製品の近くに配置しておき、ユーザー自身がビューワープレートを用いて製品の真贋判定を行うことによって、ユーザーが模倣品を購入するという事態を防ぐことができる。
【０００６】
しかし、販売店によってはビューワープレートが配置されていなかったり、ユーザーが製品購入時にビューワープレートによって真贋判定が可能であることに気づかなかったりする場合も多い。このため、FORGE GUARD自体が優れた偽造防止技術であるにも関わらず、販売店においてユーザーが模倣品を購入してしまうことを防止する効果は限定的になっている。そこで、FORGE GUARDによる真贋判定をより効果的に発揮させる技術が望まれている。
【０００７】
本発明はこのような事情に鑑みてなされたものであり、製品の真贋判定を可能にする識別ラベルユニットを提供するものである。
【課題を解決するための手段】
【０００８】
本発明によれば、識別子が付された識別ラベルと、前記識別ラベルを覆うように配置されたビューワープレートと、前記識別ラベルと前記ビューワープレートが相対回転可能なようにこれらを保持する保持部材とを備え、前記識別ラベルは、前記識別ラベルと前記ビューワープレートの間の相対回転によって前記識別子の表示と非表示が切り替わるように構成される、識別ラベルユニットが提供される。
【０００９】
本発明のポイントは、識別ラベルとビューワープレートを単に一体に保持しただけではなく、識別ラベルとビューワープレートを相対回転可能に保持した点にある。この場合、両者を相対回転させることによって識別子が表示されたり、非表示になったりすることを確認することによって、ユーザーが容易に真贋判定をすることができる。仮に、識別ラベルとビューワープレートを相対回転不能にした場合、ユーザーは識別ラベルに識別子が表示されていることを確認することができたとしても、ビューワープレートを取り除いたときに識別子が消えるということを確認することができない。そうすると、模倣者は、最初から識別子が表示された通常のラベルの上にプラスチック板を配置したような模倣品を容易に作成することができる。従って、このような形態では偽造防止効果を発揮させることができない。そのため、従来は、ビューワープレートはFORGE GUARDとは別体で配布されており、一体化されることがなかった。本発明者は、ビューワープレートの有無で識別子の表示・非表示を切り替えるという発想ではなく、ビューワープレートと識別ラベルの間の相対回転によって識別子の表示・非表示を切り替えるという発想に基づき、ビューワープレートと識別ラベルとを含む識別ラベルユニットを構成することを考え、本発明の完成に到った。
【００１０】
ここで、本発明の種々の実施形態を例示する。これらの実施形態は、互いに組み合わせ可能である。
好ましくは、前記保持部材は、前記識別ラベルと前記ビューワープレートが相対回転なようにこれらを保持するボトムベースを備える。
好ましくは、前記識別ラベルは、前記ボトムベースに固定され、前記ビューワープレートは、前記ボトムベースに対して相対回転可能に保持される。
好ましくは、前記保持部材は、前記ボトムベースに固定されるトップベースを備え、前記ビューワープレートは、前記ボトムベースと前記トップベースの間に設けられた保持空間内に、前記識別ラベルに対して回転可能に保持される。
好ましくは、前記トップベースは、前記ビューワープレートを通じて前記識別子を視認可能に構成される。
好ましくは、前記識別ラベル、前記ビューワープレート、及び前記トップベースは、前記ボトムベースに設けられた収容凹部に収容され、前記トップベースと前記ボトムベースの表面が略同一平面である。
好ましくは、前記ボトムベースは、対象製品に固定可能に構成される。
好ましくは、前記ボトムベースは、製品パッケージである。
好ましくは、前記ビューワープレートは、前記ボトムベースに固定され、前記識別ラベルは、前記ボトムベースに対して相対回転可能に保持される。
好ましくは、前記識別ラベルは、前記ボトムベースと前記ビューワープレートの間に保持される。
好ましくは、前記ビューワープレートは、前記保持部材外に突出する突起を備える。
【図面の簡単な説明】
【００１１】
【図１】本発明の第１実施形態の識別ラベルユニット１を示し、（ａ）は分解斜視図、（ｂ）は平面図、（ｃ）はＡ−Ａ断面図である。
【図２】本発明の第２実施形態の識別ラベルユニット１を示し、（ａ）は分解斜視図、（ｂ）は平面図、（ｃ）はＡ−Ａ断面図である。
【図３】本発明の第３実施形態の識別ラベルユニット１を示し、（ａ）は分解斜視図、（ｂ）は平面図、（ｃ）はＡ−Ａ断面図である。
【図４】（ａ）〜（ｂ）は、本発明の識別ラベルユニット１を内蔵可能な製品パッケージの例を示す。
【図５】本発明の第４実施形態の識別ラベルユニット１を示し、（ａ）は分解斜視図、（ｂ）は平面図、（ｃ）はＡ−Ａ断面図である。
【図６】本発明の第５実施形態の識別ラベルユニット１を示し、（ａ）は分解斜視図、（ｂ）は平面図、（ｃ）はＡ−Ａ断面図である。
【発明を実施するための形態】
【００１２】
以下、図面を用いて、本発明の実施形態について説明する。以下の実施形態は、例示であって、本発明の範囲は、以下の実施形態で示すものに限定されない。
【００１３】
１．第１実施形態
図１を用いて、本発明の第１実施形態の識別ラベルユニット１について説明する。
識別ラベルユニット１は、ボトムベース３と、ボトムベース３に固定された識別ラベル５と、識別ラベル５を覆うように配置されたビューワープレート７と、識別ラベル５及びビューワープレート７を間挟んでボトムベース３に固定されるトップベース９とを備える。ボトムベース３とトップベース９とで、特許請求の範囲の「保持部材」が構成される。
【００１４】
識別ラベル５には、例えばブランドのロゴが識別子として付されており、この識別子は、識別ラベル５とビューワープレート７の間の相対回転によって表示と非表示が切り替わるように構成される。このような識別ラベル５の例としては、富士フイルム株式会社のFORGE GUARDが挙げられる。ビューワープレート７としては、富士フイルム株式会社から提供されるFORGE GUARD用の専用ビューワーが利用可能であるが、市販されている偏光プレートを用いることもできる。識別子は、カラーとモノクロのどちらでもよいが、カラーの識別子を有する識別ラベル５の製造がより困難であるので、識別子はカラーであることが好ましい。識別子の表示と非表示は、例えば４５度回転ごとに切り替わるが、これに限定されず、例えば９０度回転ごとに切り替わるようにしてもよい。
【００１５】
トップベース９は、ボトムベース３に固定される基部９ａと、基部９ａから立ち上がる筒部９ｂと、筒部９ｂの一端に設けられる保持壁部９ｄとを備える。保持壁部９ｄは、窓部９ｃを囲むように設けられる。窓部９ｃは、ビューワープレート７を通じて識別子を視認可能するためのものであり、本実施形態では開口部である。
【００１６】
図１（ｃ）に示すように、トップベース９の基部９ａがボトムベース３に固定された状態で、トップベース９とボトムベース３の間には識別ラベル５及びビューワープレート７を保持する保持空間１１が設けられる。筒部９ｂの直径は、ビューワープレート７の直径よりも大きいので、ビューワープレート７は、保持空間１１内で固定されておらず、識別ラベル５に対して相対回転可能になっている。また、窓部９ｃの直径は、ビューワープレート７の直径よりも小さいので、ビューワープレート７が保持空間１１内に保持されるようになっている。
【００１７】
ボトムベース３の背面３ａには粘着剤層が設けられているので、識別ラベルユニット１は、対象製品に容易に貼着固定可能になっている。なお、ボトムベース３を対象製品に固定する方法は、特に限定されず、接着剤や嵌め込み（構造的）等によって対象製品に固定してもよい。
【００１８】
ここで、ユーザーが識別ラベルユニット１によって製品の真贋判定を行う方法について説明する。
ある製品に識別ラベルユニット１が貼着されているとする。この製品の購入を考えているユーザーは、この製品が正規品であるかどうかを判断するために、ビューワープレート７を回転させる。ビューワープレート７は、窓部９ｃを通じて指でビューワープレート７を直接触って回転させることができる。識別ラベル５は、例えば、識別子が表示されている状態からビューワープレート７を４５度回転させると、識別子が非表示になり、ビューワープレート７をさらに４５度回転させると識別子が再度表示されるように構成されている。このため、ユーザーが自身でビューワープレート７を回転させ、その回転に伴って識別子の表示・非表示が切り替われば、ユーザーは、購入しようとしている製品が正規品であると判断することができる。なお、製品パッケージには、ビューワープレート７の回転に伴って識別子の表示・非表示が切り替われば正規品であると判断できる旨の表示を付しておくことが好ましい。
【００１９】
一方、例えば、ある製品に、一見すると識別ラベルユニット１と同じに見えるものが付されているとする。しかし、この製品の購入を考えているユーザーがビューワープレート７のようなプレートを回転させても、識別子の表示と非表示が切り替わることがない。そうすると、ユーザーは、この製品が正規品でないと判断することができ、模倣品を購入することを避けることができる。
【００２０】
２．第２実施形態
図２を用いて、本発明の第２実施形態の識別ラベルユニット１について説明する。本実施形態は、第１実施形態に類似しており、保持部材外に突出する突起７ｂがビューワープレート７に設けられている点が主な相違点である。以下、相違点を中心に説明する。
【００２１】
本実施形態では、ビューワープレート７は、本体部７ａと、本体部７ａから半径方向外側に突出する突起７ｂで構成される。トップベース９の筒部８ｂには、突起７ｂが挿通される回動溝９ｅが設けられる。
【００２２】
このような構成によれば、突起７ｂを用いて、ビューワープレート７を回転させることができるので、第１実施形態に比べてビューワープレート７を容易に回転させることができる。また、本実施形態では、窓部９ｃからビューワープレート７にアクセスする必要がないので、窓部９ｃは、開口部にする代わりに、透明板で形成してもよい。また、窓部９ｃを設けずにトップベース９の全体を透明材料で形成してもよい。
【００２３】
３．第３実施形態
図３を用いて、本発明の第３実施形態の識別ラベルユニット１について説明する。本実施形態は、第１実施形態に類似しており、保持部材の構成が異なる点が主な相違点である。以下、相違点を中心に説明する。
【００２４】
本実施形態では、ボトムベース３は、識別ラベル５、ビューワープレート７、及びトップベース９をそれぞれ収容する収容凹部３ｂ，３ｃ，３ｄを備える。識別ラベル５及びトップベース９は、ボトムベース３に固定され、ビューワープレート７は、回転可能に保持される。収容凹部３ｂ，３ｃ，３ｄは、この順で浅くなっている。収容凹部３ｄの深さは、トップベース９の厚さと略同一であるので、トップベース９を収容凹部３ｄ内に配置すると、ボトムベース３とトップベース９の表面が略同一平面になる。
【００２５】
本実施形態の識別ラベルユニット１は、図４（ａ）〜（ｂ）に示すような製品パッケージ１３に組み込んで利用することが好適である。具体的には、製品パッケージ１３の背面の樹脂板をボトムベース３として利用する。つまり、背面の樹脂板に予め収容凹部３ｂ，３ｃ，３ｄを形成しておき、収容凹部３ｂ，３ｃ，３ｄ内に識別ラベル５、ビューワープレート７、及びトップベース９を収容することによって、製品パッケージ１３に識別ラベルユニット１を内蔵することが可能になる。本実施形態によれば、製品パッケージ１３の背面から識別ラベルユニット１が突出しないという利点が得られる。また、第１及び第２実施形態では、識別ラベルユニット１全体を対象製品から剥がして、模倣品に再利用されるという恐れがあるが、本実施形態では、開封時に背面の樹脂板が破壊されるように構成しておけば、識別ラベルユニット１が再利用されるリスクを低減することができる。
【００２６】
本実施形態では、第１実施形態と同様に、ビューワープレート７は、窓部９ｃを通じて指でビューワープレート７を直接触って回転させることができる。
【００２７】
４．第４実施形態
図５を用いて、本発明の第４実施形態の識別ラベルユニット１について説明する。本実施形態は、第３実施形態に類似しており、保持部材外に突出する突起７ｃがビューワープレート７に設けられている点が主な相違点である。以下、相違点を中心に説明する。
【００２８】
本実施形態では、ビューワープレート７は、本体部７ａと、本体部７ａから面外方向に突出する突起７ｃで構成される。トップベース９には、突起７ｃが挿通される回動溝９ｆが設けられる。
【００２９】
このような構成によれば、突起７ｃを用いて、ビューワープレート７を回転させることができるので、第３実施形態に比べてビューワープレート７を容易に回転させることができる。また、本実施形態では、窓部９ｃからビューワープレート７にアクセスする必要がないので、窓部９ｃは、開口部にする代わりに、透明板で形成してもよい。また、トップベース９の全体を透明材料で形成してもよい。
【００３０】
５．第５実施形態
図６を用いて、本発明の第５実施形態の識別ラベルユニット１について説明する。本実施形態は、第４実施形態に類似しており、ビューワープレート７を固定して識別ラベル５を回転させる点が主な相違点である。以下、相違点を中心に説明する。
【００３１】
本実施形態では、識別ラベル５は、回転プレート１５の本体部１５ａに固定される。回転プレート１５は、本体部１５ａから面外方向に突出する突起１５ｂを有する。突起１５ｂは、ビューワープレート７に設けられた回動溝７ｄに挿通される。ボトムベース３は、識別ラベル５が固定された回転プレート１５を収容する収容凹部３ｅと、ビューワープレート７を収容する収容凹部３ｆを備える。ビューワープレート７は、ボトムベース３に固定され、回転プレート１５は、回転可能に保持される。収容凹部３ｆの深さは、ビューワープレート７の厚さと略同一であるので、ビューワープレート７を収容凹部３ｆ内に配置すると、ボトムベース３とビューワープレート７の表面が略同一平面になる。
【００３２】
このように構成された識別ラベルユニット１では、ユーザーは、回転プレート１５の突起１５ｂを用いて回転プレート１５を回転させることによって、識別ラベル５とビューワープレート７を相対回転させることができる。
【００３３】
６．その他実施形態
・上記実施形態では、識別ラベル５とビューワープレート７のうちの一方を固定して他方を回転可能に保持したが、保持部材は、識別ラベル５とビューワープレート７の両方を回転可能に保持してもよい。
・上記実施形態では、ビューワープレート７の周縁部に当接するようにトップベース９を配置することによってビューワープレート７を回転可能に保持したが、別の構成では、トップベース９を設けずに、例えばビューワープレート７と識別ラベル５を貫くピンをボトムベース３に挿すことによって、このピンを中心軸としてビューワープレート７が回転可能なように、ビューワープレート７を保持してもよい。
・ビューワープレート７をトップベース９に固定し、トップベース９がボトムベース３に回転可能になるように構成してもよい。
【符号の説明】
【００３４】
１：識別ラベルユニット、３：ボトムベース、５：識別ラベル、７：ビューワープレート、９：トップベース、１３：製品パッケージ、１５：回転プレート
【図１】
2015210346.tif 000003
【図２】
2015210346.tif 000004
【図３】
2015210346.tif 000005
【図４】
2015210346.tif 000006
【図５】
2015210346.tif 000007
【図６】
2015210346.tif 000008